【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
切削工具ホルダと、前記切削工具ホルダ上に取り付けられた切削インサートと、を備える切削工具であって、前記切削インサートが、インサート軸を規定し、かつ、上面、底面、前記上面と前記底面との間に延在する少なくとも１つの側面、及び前記上面と前記底面との間に延在するインサートボアを備え、かつ、前記切削インサートが、
前記上面から傾斜して前記インサート軸の回りで半径方向に延在する第１クランプ面と、
前記第１クランプ面から前記底面に向かって軸方向に離間された第２クランプ面と、を備え、
前記切削工具ホルダが本体及び締結部材を備え、前記本体が、
側壁とベース面との間に規定されたインサートシートであって、その中に前記切削インサートを受け入れるために構成されるインサートシートと、
シートボア軸に沿って延在し、前記ベース面に開口端部を有するシートボアと、を備え、
前記締結部材が、締結部材軸を規定し、前記シートボアの中に受け入れられるために構成された近端シャンク部分及び前記軸に沿って延在する遠端ヘッド部分を備え、前記締結部材は、前記締結部材が前記切削インサートの前記インサートシートの中への位置決めを可能にしつつ前記シートボアと係合したままである取り付け位置と、前記締結部材が前記切削インサートを前記インサートシートの中に固定する固定位置と、の間で移動することができ、前記ヘッド部分が、
前記固定位置で前記切削インサートの前記第１クランプ面を圧迫するために、前記締結部材軸に向かって近位に先細る第１締結面を有する第１締結部分と、
前記第１締結部分から軸方向に離間され、前記シャンク部分と前記第１締結部分との間に配置された第２締結部分であって、前記固定位置で前記切削インサートの前記第２クランプ面を圧迫するための第２締結面を有する第２締結部分と、
前記第１締結部分と前記第２締結部分との間に形成され、前記第１締結部分及び前記第２締結部分のそれぞれの直径未満の直径を有するネック部分と、を備え、
前記締結部材が前記固定位置にあるとき、前記インサート軸に対して前記第１締結面と前記第１クランプ面との間に第１係合角度が規定され、前記第１係合角度は、前記インサート軸に対して前記第２締結面と前記第２クランプ面との間に規定された第２係合角度より大きい、切削工具。
【請求項２】
前記第２締結面が前記締結部材軸に向かって近位に先細る、請求項１に記載の切削工具。
【請求項３】
前記第１締結部分及び前記第２締結部分の少なくとも一部分が、前記締結部材が前記取り付け位置又は前記固定位置にあるときに前記インサートシートの中であって前記シートボアの外に位置する、請求項１又は２に記載の切削工具。
【請求項４】
前記シートボア軸が、前記締結部材が前記シートボアの中に受け入れられるとき、前記締結部材が、前記側壁から分岐する方向で配向されるように、前記インサートシートのベース面に関して曲げられ、前記第１締結部分が、前記第２締結部分よりも前記側壁からさらに遠く配置される、請求項１〜３のいずれか１項に記載の切削工具。
【請求項５】
前記切削インサートが、前記切削インサートの前記上面と前記切削インサートの前記少なくとも１つの側面との間の交線に規定された切れ刃を備えて形成され、前記切削インサートが、前記切れ刃を使用して切削操作を実行するために前記切削工具ホルダの上に取り付けられるとき、前記第１締結部分と前記切削インサートとの間の前記係合が、前記第２締結部分と前記切削インサートとの間の前記係合よりも、前記切れ刃を備える前記切削インサートの操作切削隅のより近くに、及び前記ベース面上のより高い高所で起こる、請求項１〜４のいずれか１項に記載の切削工具。
【請求項６】
前記締結部材の前記ヘッド部分が、前記締結部材の前記ヘッド部分の上で、前記切削インサートを前記切削工具ホルダに取り付ける、及び、前記切削工具ホルダから取り除くことを可能にするように設計される、請求項１〜５のいずれか１項に記載の切削工具。
【請求項７】
前記切削工具ホルダの前記本体の固着チャネルの中に受け入れられ、前記締結部材と係合するように構成された固着要素をさらに備え、前記固着要素が、前記シートボア軸に対して横断方向に配向された固着軸を規定し、前記固着要素は、
前記固着軸の回りの回転、
前記固着軸の回りの軸方向移動、又は、
前記固着軸に対して横向きの方向での側面方向移動、のうちの１以上のために構成される、請求項１〜６のいずれか１項に記載の切削工具。
【請求項８】
前記シートボアが、前記締結部材がそれと係合せずにその中に受け入れられ得るように設計される、請求項７に記載の切削工具。
【請求項９】
前記締結部材の前記ヘッド部分が、その取り付け位置からその固定位置への移動中、前記切削インサートに対して、以下の（ａ）前記ベース面に対してそれを押すための軸方向圧力、及び（ｂ）前記ベース面に対して横断方向の前記シートの前記側壁の１つにそれを押すための側面方向圧力のいずれか１つ、又はその組合せを付加するために構成される、請求項７又は８に記載の切削工具。
【請求項１０】
切削工具ホルダ上に取り付けられて切削工具を形成する切削インサートであって、前記切削工具ホルダが本体及び締結部材を備え、前記本体が、
ベース面を有するインサートシートであって、その中に前記切削インサートを受け入れるために構成されるインサートシートと、
シートボア軸に沿って延在し、前記ベース面に開口端部を有するシートボアと、を備え、
前記締結部材が、締結部材軸を規定し、前記シートボアの中に受け入れられるために構成された近端シャンク部分及び前記軸に沿って延在する遠端ヘッド部分を備え、前記締結部材は、前記締結部材が前記切削インサートの前記インサートシートの中への位置決めを可能にしつつ前記シートボアと係合したままである取り付け位置と、前記締結部材が前記切削インサートを前記インサートシートの中に固定する固定位置と、の間で移動することができ、前記ヘッド部分が、
前記固定位置で前記切削インサートを圧迫するために、前記締結部材軸に向かって近位に先細る第１締結面を有する第１締結部分と、
前記第１締結部分から軸方向に離間され、前記シャンク部分と前記第１締結部分との間に配置された第２締結部分であって、前記固定位置で前記切削インサートを圧迫するための第２締結面を有する第２締結部分と、
前記第１締結部分と前記第２締結部分との間に形成され、前記第１締結部分及び前記第２締結部分のそれぞれの直径未満の直径を有するネック部分と、を備え、
前記切削インサートが、インサート軸を規定し、かつ、上面、底面、前記上面と前記底面との間に延在する少なくとも１つの側面、及び前記上面と前記底面との間に延在するインサートボアを備え、前記切削インサートは、
前記上面から傾斜して前記インサート軸の回りで半径方向に延在する第１クランプ面と、
前記第１クランプ面から前記底面に向かって軸方向に離間された第２クランプ面と、を備え、
前記切削インサートが前記固定位置の前記締結部材によって前記インサートシートの中に固定されるとき、前記インサート軸に対して前記第１締結面と前記第１クランプ面との間に第１係合角度が規定され、前記第１係合角度は、前記インサート軸に対して前記第２締結面と前記第２クランプ面との間に規定された第２係合角度より大きい、切削インサート。
【請求項１１】
前記第１クランプ面が前記第２クランプ面に対して曲げられる、請求項１０に記載の切削インサート。
【請求項１２】
前記切削インサートが可逆である、請求項１１に記載の切削インサート。
【請求項１３】
前記切削インサートの前記上面と前記切削インサートの前記少なくとも１つの側面との間の前記交線で規定された切れ刃を備えて形成され、前記切削インサートが前記切れ刃を使用して切削操作を実行するために前記切削工具ホルダの上に取り付けられるとき、前記第１締結部分と前記切削インサートとの間の前記係合が、前記第２締結部分と前記切削インサートとの間の前記係合よりも、前記切れ刃を備える前記切削インサートの操作切削隅のより近くに、及び前記ベース面上のより高い高所で起こる、請求項１０〜１２のいずれか１項に記載の切削インサート。
【請求項１４】
その上に切削インサートを取り付けて切削工具を形成する切削工具ホルダであって、前記切削インサートが、インサート軸を規定し、かつ、上面、底面、前記上面と前記底面との間に延在する少なくとも１つの側面、及び前記上面と前記底面との間に延在するインサートボアを備え、かつ、前記切削インサートが、
前記上面から傾斜して前記インサート軸の回りで半径方向に延在する第１クランプ面と、
前記第１クランプ面から前記底面に向かって軸方向に離間された第２クランプ面と、を備え、
前記切削工具ホルダが本体及び締結部材を備え、前記本体が、
側壁とベース面との間に規定されたインサートシートであって、その中に前記切削インサートを受け入れるために構成されるインサートシートと、
シートボア軸に沿って延在し、前記ベース面に開口端部を有するシートボアと、を備え、
前記締結部材が、締結部材軸を規定し、前記シートボアの中に受け入れられるために構成された近端シャンク部分及び前記軸に沿って延在する遠端ヘッド部分を備え、前記締結部材は、前記締結部材が前記切削インサートの前記インサートシートの中への位置決めを可能にしつつ前記シートボアと係合したままである取り付け位置と、前記締結部材が前記切削インサートを前記インサートシートの中に固定する固定位置と、の間で移動することができ、前記ヘッド部分が、
前記固定位置で前記切削インサートの前記第１クランプ面を圧迫するために、前記締結部材軸に向かって近位に先細る第１締結面を有する第１締結部分と、
前記第１締結部分から軸方向に離間され、前記シャンク部分と前記第１締結部分との間に配置された第２締結部分であって、前記固定位置で前記切削インサートの前記第２クランプ面を圧迫するための第２締結面を有する第２締結部分と、
前記第１締結部分と前記第２締結部分との間に形成され、前記第１締結部分及び前記第２締結部分のそれぞれの直径未満の直径を有するネック部分と、を備え、
前記締結部材が前記固定位置にあるとき、前記インサート軸に対して前記第１締結面と前記第１クランプ面との間に第１係合角度が規定され、前記第１係合角度は、前記インサート軸に対して前記第２締結面と前記第２クランプ面との間に規定された第２係合角度より大きい、切削工具ホルダ。